(57)【要約】  露光マザーボード１と、レーザ照射制御ユニット２とを備え、露光マザーボード１上にマルチプリズムユニット３、レンズ４、角度切替反射ミラー５、光検知反射ミラー６、光検知装置７、３つの音響光学駆動制御部８、レーザ駆動制御パネル１１、複数の支持柱９、及び複数の反射ミラー１０を備え、レーザ照射制御ユニット２は露光マザーボード１と重なるように支持柱９上にねじ留めされ、レンズ４は光入射面と光出射面とを有し、レーザ照射制御ユニット２は並列に配置された３つのレーザ発生機セット２１を有し、各レーザ発生機セット２１はレーザ発生機２１１、音響光学調整部２１２、光バルブ２１３、直進レンズ２１７、光学ズームレンズ２１４、レーザ反射ミラー２１５、およびスポット反射ミラー２１６を備えている。これにより、単純な構造、安定した性能、利便性、十分な３Ｄ画像印刷効果、および明るい色を実現できる。
2015524941.tif 000002
【特許請求の範囲】
【請求項１】
３次元画像のレーザ露光システムのためのマルチプリズム機構であって、
露光マザーボードと、
レーザ照射制御ユニットとを備え、
露光マザーボード上に、マルチプリズムユニット、レンズ、角度切替反射ミラー、光検知反射ミラー、光検知装置、３つの音響光学駆動制御部、レーザ駆動制御パネル、複数の支持柱、および複数の反射ミラーが設けられており、前記レーザ照射制御ユニットは、前記露光マザーボードと重なるように前記支持柱上にねじ留めされており、前記レンズは光入射面と光出射面とを有し、前記レーザ照射制御ユニットは並列に配置された３つのレーザ発生機セットを有し、前記各レーザ発生機セットは、音響光学調整部、光バルブ、ダイレクトレンズ、光学ズームレンズ、レーザ反射ミラー、およびスポット反射ミラーを備えており、
レーザ照射制御ユニットの前記音響光学調整部は、それぞれ音響光学駆動制御部のうちの対応する１つに接続されており、前記音響光学駆動制御部は、前記レーザ駆動制御パネルに接続されており、レーザ駆動制御パネルはコンピュータに接続されていることを特徴とするマルチプリズム機構。
【請求項２】
前記マルチプリズムユニットは前記レンズの光入射面側に配置されており、
前記マルチプリズムユニットは、ミラーを有するマルチプリズムと、レンズキャップと、回転可能ホルダとを備え、
前記マルチプリズムは前記回転可能ホルダに取り付けられており、
前記レンズキャップは光入射開口と光出射開口とを備えており、
前記光入射開口は前記角度切替反射ミラーに対向するように配置されており、
前記光出射開口は前記レンズに対向するように配置されており、
前記マルチプリズムの前記ミラーの中心部の高さは前記レンズの中心部の水平方向の高さと等しいことを特徴とする請求項１に記載のマルチプリズム機構。
【請求項３】
前記角度切替反射ミラーは前記レンズの光出射面側に配置されており、
前記角度切替反射ミラーの中心部の高さは前記レンズの中心部の水平方向の高さと等しいことを特徴とする請求項１に記載のマルチプリズム機構。
【請求項４】
前記光検知装置は前記レーザ駆動制御パネルに接続されており、
前記レーザ駆動制御パネルはＲＧＢの色駆動能力を有する制御装置であることを特徴とする請求項１に記載のマルチプリズム機構。
【請求項５】
前記光検知反射ミラーおよび前記光検知装置は、それぞれ前記レンズの光出射面側の両側にホーン形状を成すように配置されていることを特徴とする請求項１に記載のマルチプリズム機構。
【請求項６】
請求項１から５のいずれか１項に記載のマルチプリズム機構によるデジタル３次元画像の印刷方法であって、
レーザ駆動制御パネルがコンピュータから第１写真情報を取得し、音響光学調整部が前記第１写真情報を対応するＲＧＢの単色の第１レーザビームに変換して３つの音響光学駆動制御部に順に送信し、前記第１レーザビームを光バルブ、直進レンズ、光学ズームレンズ、およびレーザ反射ミラーを介してスポット反射ミラーで反射させ、３つのレーザ発生機セットが並列に配置されていることにより、レーザ反射ミラーによってスポット反射ミラーへ反射される前記第１レーザビームがＲＧＢ第１レーザビームになり、前記スポット反射ミラーが前記第１レーザビームを角度切替反射ミラーへ反射し、前記角度切替反射ミラーが前記第１レーザビームをマルチプリズムユニットのレンズキャップにおける光入射開口を介してマルチプリズムのミラーへ反射し、前記ミラーが前記第１レーザビームを前記レンズキャップの光出射開口およびレンズを介して反射ミラーおよび光検知反射ミラーへ反射し、回転可能ホルダに取り付けられた前記マルチプリズムが回転可能ホルダとともに即座に回転することによって前記マルチプリズムで反射した光が放射状の領域に広がり、その結果、前記第１レーザビームが前記光検知反射ミラーに到達したときに、前記光検知反射ミラーが前記第１レーザビームを光検知装置へ即座に反射し、前記光検知装置が取得した前記第１レーザビームの送信情報をレーザ駆動制御パネルに送信し、前記レーザ駆動制御パネルが前記第１レーザビームを第１レーザビーム情報に変換して前記コンピュータにフィードバックし、前記コンピュータが各画像に要求される角度に応じてレーザビーム部分と放射幅とを生成して前記レーザ駆動制御パネルにフィードバックし、前記レーザ駆動制御パネルが前記情報を変換して音響光学駆動制御部に送信し、前記音響光学駆動制御部が前記レーザ照射制御ユニットに送信し、前記レーザ照射制御ユニットが前記第１レーザビームを前記マルチプリズムの前記ミラーへ順次反射し、前記マルチプリズムが前記反射ミラーへ反射し、前記反射ミラーが前記マルチプリズムによって反射された前記第１レーザビームを第１線形走査線に変換し、第１移動走査露光のために光学格子を介して３次元感光性材料へ反射するステップＳ１と、
前記コンピュータが前回の写真とは異なる他の写真の偏向角度データ情報と感光性プラットフォームの移動情報とを取得し、前記マルチプリズムへの偏向指示および前記感光性プラットフォームへの前記放射幅の範囲内の移動方向への移動指示を送信し、レーザ線形ビームが前記マルチプリズムユニットの前記マルチプリズムにおける上記ミラーのプリズム表面で反射され、前記感光性プラットフォームの位置がステップＳ１における位置から変更されるステップＳ２と、
前記レーザ照射制御ユニットが前記ステップＳ２で前記コンピュータから第２写真情報を取得し、レーザ露光システムが前記第２写真情報に応じた第２レーザビームを照射し、前記レーザ照射制御ユニットの前記スポット反射ミラーが前記第２レーザビームを角度切替反射ミラーへ垂直に反射し、前記角度切替反射ミラーが前記第２レーザビームを前記マルチプリズムユニットのマルチプリズムにおける前記ミラーのプリズム表面へ反射し、前記ミラーの前記プリズム表面が第２走査線を形成するために前記レンズを介して前記第２レーザビームを前記反射ミラーへ反射し、第２移動走査露光のために前記光学格子を介して前記３次元感光性材料へ反射するステップＳ３と、
全ての画像の移動操作露光が完了するまでステップＳ２とステップＳ３とを繰り返すステップＳ４とを含むことを特徴とする方法。
【発明の詳細な説明】
【発明の詳細な説明】
【０００１】
〔発明の背景〕
〔発明の技術分野〕
本発明は、レーザ露光システムおよびレーザ露光方法に関するものであり、より具体的には、３Ｄ画像のレーザ露光システムのためのマルチプリズム機構およびその利用方法に関するものである。
【０００２】
〔関連技術の説明〕
デジタル３Ｄ画像技術が発展するにつれて、３Ｄ画像は、２次元画像よりも直感的で現実的な表現として広く受け入れられるようになっている。３Ｄ画像処理装置は、初期時代の表示ソースであるフィルムから、便利で信頼できるデジタル時代の表示ソースであるＬＣＤを備えた画像映写デジタル３Ｄ処理装置へと発展してきた。ところで、従来のＬＣＤ表示ソースを有する画像映写デジタル３Ｄ処理装置は小サイズの３Ｄ写真を印刷することはできるものの、視認距離が長くサイズが大きい３Ｄ写真に関する世界的市場の要求を満たすために、大サイズの３Ｄ印刷装置の早急な開発が望まれている。
【０００３】
従来、世界中の研究者が、大規模な３Ｄ画像装置のレーザ回転走査画像装置として、回転ミラーおよび振動ミラーを用いている。回転ミラーは良好な走査画像をもたらす。しかしながら、回転ミラーは高価であり、破損しやすく、また輸入する必要がある。振動ミラーの価格は比較的安価であるが、輸入に依存している。また、振動ミラーは、大サイズの３Ｄ画像の印刷のための画像走査のスイング角が制限されており、振動ミラーの失敗率は回転ミラーの失敗率よりも高い。このため、大サイズの３Ｄ画像に適用できることに加えて、経済性、安定性、および信頼性に優れた、デジタル３Ｄ画像の露光システムの移動走査露光エンジンに適用できるレーザ画像走査装置の早期開発が特に望まれている。
【０００４】
〔発明の概要〕
本発明の目的は、従来のデジタル３Ｄ（３次元）画像拡大用のレーザ露光システムの問題点を解消し、３Ｄ画像印刷のためのレーザ露光システムの回転走査装置に適した３Ｄ画像レーザ露光システムのマルチプリズム機構およびその利用方法を提供することにある。
【０００５】
本発明は、上記の問題を解決するために、３Ｄ画像のレーザ露光システムのための、構造が簡単であり、安定した性能を有し、信頼できる品質を有するマルチプリズム機構を提供する。
【０００６】
本発明のマルチプリズム機構は、３次元画像のレーザ露光システムのためのマルチプリズム機構であって、
露光マザーボードと、
レーザ照射制御ユニットとを備え、
露光マザーボード上に、マルチプリズムユニット、レンズ、角度切替反射ミラー、光検知反射ミラー、光検知装置、３つの音響光学駆動制御部、レーザ駆動制御パネル、複数の支持柱、および複数の反射ミラーが設けられており、前記レーザ照射制御ユニットは、前記露光マザーボードと重なるように前記支持柱上にねじ留めされており、前記レンズは光入射面と光出射面とを有し、前記レーザ照射制御ユニットは並列に配置された３つのレーザ発生機セットを有し、前記各レーザ発生機セットは、音響光学調整部、光バルブ、ダイレクトレンズ、光学ズームレンズ、レーザ反射ミラー、およびスポット反射ミラーを備えており、
レーザ照射制御ユニットの前記音響光学調整部は、それぞれ音響光学駆動制御部のうちの対応する１つに接続されており、前記音響光学駆動制御部は、前記レーザ駆動制御パネルに接続されており、レーザ駆動制御パネルはコンピュータに接続されている。
【０００７】
また、前記マルチプリズムユニットは前記レンズの光入射面側に配置されており、前記マルチプリズムユニットは、ミラーを有するマルチプリズムと、レンズキャップと、回転可能ホルダとを備え、前記マルチプリズムは前記回転可能ホルダに取り付けられており、前記レンズキャップは光入射開口と光出射開口とを備えており、前記光入射開口は前記角度切替反射ミラーに対向するように配置されており、前記光出射開口は前記レンズに対向するように配置されており、前記マルチプリズムの前記ミラーの中心部の高さは前記レンズの中心部の水平方向の高さと等しい。
【０００８】
また、前記角度切替反射ミラーは前記レンズの光出射面側に配置されており、前記角度切替反射ミラーの中心部の高さは前記レンズの中心部の水平方向の高さと等しい。
【０００９】
また、前記光検知装置は前記レーザ駆動制御パネルに接続されており、前記レーザ駆動制御パネルはＲＧＢの色駆動能力を有する制御装置である。
【００１０】
また、前記光検知反射ミラーおよび前記光検知装置は、それぞれ前記レンズの光出射面側の両側にホーン形状を成すように配置されている。
【００１１】
また、前記レーザ駆動制御パネルは前記コンピュータから第１写真情報を取得し、前記音響光学調整部が前記第１写真情報を対応するＲＧＢの単色の第１レーザビームに変換して３つの前記音響光学駆動制御部に順に送信する。また、前記第１レーザビームは前記光バルブ、前記直進レンズ、前記光学ズームレンズ、および前記レーザ反射ミラーを介してスポット反射ミラーへ反射される。これにより、前記第１レーザビームの第１の反射が第１反射角度９０°で行われる。また、３つのレーザ発生機セットが並列に配置されていることにより、前記レーザ反射ミラーによって前記スポット反射ミラーに反射される前記第１レーザビームがＲＧＢ第１レーザビームになる。また、前記スポット反射ミラーは前記第１レーザビームを前記角度切替反射ミラーへ反射する。これにより、前記第１レーザビームの第２の反射が下方に垂直な第２反射角度で行われる。その後、前記角度切替反射ミラーが前記第１レーザビームを前記マルチプリズムユニットの前記レンズキャップにおける関光入射開口を介して前記マルチプリズムのミラーへ反射する。これにより、前記第１レーザビームの第３の反射が第３反射角度３０°で行われる。この間、前記第１レーザビームは、前記回転ホルダによって回転駆動される前記マルチプリズムの前記ミラーによって、前記レンズの光出射開口を通り、前記レンズを介して前記光検知反射ミラーおよび前記反射ミラーへ反射される。これにより、前記第１レーザビームの前記露光マザーボードに平行な方向への第４の反射が行われる。前記第１レーザビームが前記光検知反射ミラーに到達すると、前記第１レーザビームは前記光検知装置へ即座に反射する。前記第１レーザビームは、前記コンピュータが前記レーザ駆動制御パネルに情報をフィードバックする前に前記第１レーザビームの放射幅を決定するために、前記光検知装置から前記レーザ駆動制御パネルに送られ、さらに前記レーザ駆動制御パネルから前記コンピュータに送られる。前記レーザ駆動制御パネルは、前記情報を処理して前記音響光学駆動制御部に送る。前記音響光学駆動制御部は前記情報を前記音響光学調整機に送り、送出される前に第２レーザビームに変換される。前記第２レーザビームは、前記レーザ照射制御ユニットにより前記マルチプリズムへ順次反射され、前記マルチプリズムによって前記反射ミラーへ反射される。前記反射ミラーは、受け取った前記第２レーザビームを第１線形走査線に変換し、印刷のために光学格子を介して感光性写真紙に反射させる。
【００１２】
また、本発明は、３次元画像レーザ露光システムのマルチプリズム機構によるデジタル３次元画像の印刷方法であって、
レーザ駆動制御パネルがコンピュータから第１写真情報を取得し、音響光学調整部が前記第１写真情報を対応するＲＧＢの単色の第１レーザビームに変換して３つの音響光学駆動制御部に順に送信し、前記第１レーザビームを光バルブ、直進レンズ、光学ズームレンズ、およびレーザ反射ミラーを介してスポット反射ミラーで反射させ、３つのレーザ発生機セットが並列に配置されていることにより、レーザ反射ミラーによってスポット反射ミラーへ反射される前記第１レーザビームがＲＧＢ第１レーザビームになり、前記スポット反射ミラーが前記第１レーザビームを角度切替反射ミラーへ反射し、前記角度切替反射ミラーが前記第１レーザビームをマルチプリズムユニットのレンズキャップにおける光入射開口を介してマルチプリズムのミラーへ反射し、前記ミラーが前記第１レーザビームを前記レンズキャップの光出射開口およびレンズを介して反射ミラーおよび光検知反射ミラーへ反射し、回転可能ホルダに取り付けられた前記マルチプリズムが回転可能ホルダとともに即座に回転することによって前記マルチプリズムで反射した光が放射状の領域に広がり、その結果、前記第１レーザビームが前記光検知反射ミラーに到達したときに、前記光検知反射ミラーが前記第１レーザビームを光検知装置へ即座に反射し、前記光検知装置が取得した前記第１レーザビームの送信情報をレーザ駆動制御パネルに送信し、前記レーザ駆動制御パネルが前記第１レーザビームを第１レーザビーム情報に変換して前記コンピュータにフィードバックし、前記コンピュータが各画像に要求される角度に応じてレーザビーム部分と放射幅とを生成して前記レーザ駆動制御パネルにフィードバックし、前記レーザ駆動制御パネルが前記情報を変換して音響光学駆動制御部に送信し、前記音響光学駆動制御部が前記レーザ照射制御ユニットに送信し、前記レーザ照射制御ユニットが前記第１レーザビームを前記マルチプリズムの前記ミラーへ順次反射し、前記マルチプリズムが前記反射ミラーへ反射し、前記反射ミラーが前記マルチプリズムによって反射された前記第１レーザビームを第１線形走査線に変換し、第１移動走査露光のために光学格子を介して３次元感光性材料へ反射するステップＳ１と、
前記コンピュータが前回の写真とは異なる他の写真の偏向角度データ情報と感光性プラットフォームの移動情報とを取得し、前記マルチプリズムへの偏向指示および前記感光性プラットフォームへの前記放射幅の範囲内の移動方向への移動指示を送信し、レーザ線形ビームが前記マルチプリズムユニットの前記マルチプリズムにおける上記ミラーのプリズム表面で反射され、前記感光性プラットフォームの位置がステップＳ１における位置から変更されるステップＳ２と、
前記レーザ照射制御ユニットが前記ステップＳ２で前記コンピュータから第２写真情報を取得し、レーザ露光システムが前記第２写真情報に応じた第２レーザビームを照射し、前記レーザ照射制御ユニットの前記スポット反射ミラーが前記第２レーザビームを角度切替反射ミラーへ垂直に反射し、前記角度切替反射ミラーが前記第２レーザビームを前記マルチプリズムユニットのマルチプリズムにおける前記ミラーのプリズム表面へ反射し、前記ミラーの前記プリズム表面が第２走査線を形成するために前記レンズを介して前記第２レーザビームを前記反射ミラーへ反射し、第２移動走査露光のために前記光学格子を介して前記３次元感光性材料へ反射するステップＳ３と、
全ての画像の移動操作露光が完了するまでステップＳ２とステップＳ３とを繰り返すステップＳ４とを含む。
【００１３】
上記方法は、ステップＳ１の前に、３次元強度、風景、拡大されたデジタル３Ｄ写真の利用状況、解像度、使用する写真紙の光学格子の厚さ、および拡大方法に応じて異なる必要条件に基づいて、感光性写真紙と光学格子とを組み合わせる工程を含んでいてもよい。上記方法は、薄くて曲がりやすい低解像度の光学格子写真紙に適している。上記光学格子写真紙は、感光性材料を光学格子と組み合わせることにより、あるいは光学格子の背面に感光性材料を直接塗布することにより形成される。後者は薄く曲がりやすい。
【００１４】
上記方法は、ステップＳ４の後に、感光性写真紙と３Ｄ画像を形成するための光学格子とを組み合わせる工程を含んでいてもよい。この工程は、長視距離（long visual）で３Ｄ強度の強い３Ｄ写真に特に適している。３Ｄ画像に用いられる光学格子写真紙は高い解像度と曲がりにくい厚い光学格子とを必要とするので、前記光学格子を前記感光紙に対して強固に押圧し、前記反射ミラーは感光性プラットフォームに押圧された前記光学格子感光紙に光を反射する。潜像が形成された後、前記光学格子は前記写真紙から自動的に分離される。その後、写真紙は洗浄および乾燥を行う領域に送られ、洗浄および乾燥された写真紙は前記光学格子と組み合わされる。
【００１５】
なお、一般的な技術知識に基づく好ましい条件を自由に組み合わせることにより、本発明の好ましい実施例を得ることができる。
【００１６】
本発明の利点は、マルチプリズムを用いる３次元画像のレーザ露光システムのためのマルチプリズムをレーザ走査露光システムの重要な中核装置として用いることができることである。本発明によれば、従来のレーザ走査画像露光システムとしてのレーザ３次元画像技術で用いられているマルチプリズムの問題点を解消するとともに、大サイズのデジタル３次元画像に関する要求を満たすことができる。また、本発明によれば、デジタル３Ｄ画像を人々が楽しむための要件を満たすことができる。
【００１７】
〔図面の簡単な説明〕
図１は、本発明のマルチプリズム機構の斜視図である。
【００１８】
図２は、本発明のマルチプリズムユニットの斜視図である。
【００１９】
図３は、本発明のマルチプリズムユニットの分解図である。
【００２０】
参照符号：
１−露光マザーボード；
２−レーザ照射制御ユニット；
３−マルチプリズムユニット；
４−レンズ；
５−角度切替反射ミラー；
６−光検知反射ミラー；
７−光検知装置；
８−音響光学駆動制御部；
９−支持柱；
１０−反射ミラー；
１１−レーザ駆動制御パネル；
２１−レーザ発生機セット；
２１１−レーザ発生機；
２１２−音響光学調整部；
２１３−光バルブ；
２１７−直進レンズ；
２１４−光学ズームレンズ；
２１５−レーザ反射ミラー；
２１６−スポット反射ミラー；
３１−マルチプリズム；
３２−回転可能ホルダー；
３３−レンズキャップ；
３３１−光入射開口；
３３２−光出射開口。
【００２１】
〔好ましい実施形態の詳細な説明〕
本発明の好ましい実施形態について、図面を参照しながら説明する。
【００２２】
３次元画像装置のレーザ露光システムのためのマルチプリズム機構は、図１〜図３に示したように、
露光マザーボード１と、
レーザ照射制御ユニット２とを備え、
露光マザーボード１上に、マルチプリズムユニット３、レンズ４、角度切替反射ミラー５、光検知反射ミラー６、光検知装置７、３つの音響光学駆動制御部８、レーザ駆動制御パネル１１、複数の支持柱９、および複数の反射ミラー１０が設けられており、レーザ照射制御ユニット２は、露光マザーボード１と重なるように支持柱９上にねじ留めされており、レンズ４は光入射面と光出射面とを有し、レーザ照射制御ユニット２は並列に配置された３つのレーザ発生機セット２１を有し、各レーザ発生機セット２１は、レーザ発生機２１１、音響光学調整部２１２、光バルブ２１３、直進レンズ２１７、光学ズームレンズ２１４、レーザ反射ミラー２１５、およびスポット反射ミラー２１６を備えており、
レーザ照射制御ユニット２の音響光学調整部２１２は、それぞれ音響光学駆動制御部８のうちの対応する１つに接続されており、音響光学駆動制御部８は、レーザ駆動制御パネル１１に接続されており、レーザ駆動制御パネル１１はコンピュータに接続されている。
【００２３】
マルチプリズムユニット３は、レンズ４の光入射面側に設けられており、ミラーを有するマルチプリズム３１、レンズキャップ３３、および回転可能ホルダ３２を備えている。マルチプリズム３１は回転可能ホルダ３２に取り付けられており、レンズキャップ３３は光入射開口３３１と光出射開口３３２とを有しており、光入射開口３３１は角度切替反射ミラー５に対向するように設けられており、光出射開口３３２はレンズ４に対向するように配置されており、マルチプリズム３１における前記ミラーの中心部の高さはレンズ４の高さと等しい。
【００２４】
角度切替反射ミラー５はレンズ４の光出射面側に設けられており、角度切替反射ミラー５の中心部の高さはレンズ４の中心部の高さと等しい。
【００２５】
光検知装置７はレーザ駆動制御パネル１１に接続されており、レーザ駆動制御パネル１１はＲＧＢの色駆動能力を有する制御装置である。
【００２６】
光検知反射ミラー６および光検知装置７は、それぞれ前記レンズの光出射側の両側にラッパ形を成すように取り付けられている。
【００２７】
また、本発明は、３次元画像レーザ露光システムのマルチプリズム機構によるデジタル３次元画像の印刷方法であって、
レーザ駆動制御パネル１１がコンピュータから第１写真情報を取得し、音響光学調整部２１２が前記第１写真情報を対応するＲＧＢの単色の第１レーザビームに変換して３つの音響光学駆動制御部８に順に送信し、前記第１レーザビームを光バルブ２１３、直進レンズ２１７、光学ズームレンズ２１４、およびレーザ反射ミラー２１５を介してスポット反射ミラー２１６で反射させ、３つのレーザ発生機セット２１が並列に配置されていることにより、レーザ反射ミラー２１５によってスポット反射ミラー２１６へ反射される前記第１レーザビームがＲＧＢ第１レーザビームになり、前記スポット反射ミラー２１６が前記第１レーザビームを角度切替反射ミラー５へ反射し、前記角度切替反射ミラー５が前記第１レーザビームをマルチプリズムユニット３のレンズキャップ３３における光入射開口３３１を介してマルチプリズム３１のミラーへ反射し、前記ミラーが前記第１レーザビームをレンズキャップ３３の光出射開口３３２およびレンズ４を介して光検知反射ミラー６および反射ミラー１０へ反射し、回転可能ホルダ３２上に取り付けられたマルチプリズム３１が回転可能ホルダ３２とともに回転することによって前記マルチプリズム３１で反射した光が放射状の領域に広がり、その結果、前記第１レーザビームが光検知反射ミラー６に到達したときに、前記光検知反射ミラー６が前記第１レーザビームを光検知装置７へ即座に反射し、前記光検知装置７が取得した前記第１レーザビームの送信情報をレーザ駆動制御パネル１１に送信し、レーザ駆動制御パネル１１が前記第１レーザビームを第１レーザビーム情報に変換して前記コンピュータにフィードバックし、前記コンピュータがレーザビーム部分と放射幅とを生成し、前記放射幅を決定した後、前記コンピュータが前記レーザ駆動制御パネル１１に情報をフィードバックし、前記レーザ駆動制御パネル１１が前記情報を変換して音響光学駆動制御部８に送信し、前記音響光学駆動制御部８が前記レーザ照射制御ユニット２に送信し、前記レーザ照射制御ユニット２が前記第１レーザビームを前記マルチプリズム３１のミラーに順次反射し、前記マルチプリズム３１が前記反射ミラー１０へ反射し、前記反射ミラー１０が前記マルチプリズム３１によって反射された前記第１レーザビームを第１線形走査線に変換し、第１走査露光のために光学格子を介して感光写真紙に反射するステップＳ１と、
前記コンピュータが前回の写真とは異なる他の写真の偏向角度データ情報と感光性プラットフォームの移動情報とを取得し、前記マルチプリズム３１への偏向指示および前記感光性プラットフォームへの前記放射幅の範囲内の移動方向への移動指示を送信し、レーザ線形ビームが前記マルチプリズムユニット３のマルチプリズム３１における上記ミラーのプリズム表面で反射され、前記感光性プラットフォームの位置がステップＳ１における位置から変更されるステップＳ２と、
前記レーザ照射制御ユニット２が前記ステップＳ２で前記コンピュータから第２写真情報を取得し、レーザ露光システムが前記第２写真情報に応じた第２レーザビームを照射し、前記レーザ照射制御ユニット２の前記スポット反射ミラー２１６が前記第２レーザビームを角度切替反射ミラー５へ垂直に反射し、前記角度切替反射ミラー５が前記第２レーザビームを前記マルチプリズムユニット３のマルチプリズム３１における前記ミラーのプリズム表面へ反射し、前記ミラーの前記プリズム表面が第２走査線を形成するためにレンズ４を介して前記第２レーザビームを前記反射ミラー１０へ反射し、第２移動走査露光のために前記光学格子を介して前記３次元感光性写真紙へ反射するステップＳ３と、
全ての画像の移動操作露光が完了するまでステップＳ２とステップＳ３とを繰り返すステップＳ４とを含む方法を提供する。
【００２８】
上記方法は、ステップＳ１の前に、３次元強度、風景、拡大されたデジタル３Ｄ写真の利用状況、解像度、使用する写真紙の光学格子の厚さ、および拡大方法に応じて異なる必要条件に基づいて、感光性写真紙と光学格子とを組み合わせる工程を含んでいてもよい。上記方法は、薄くて曲がりやすい低解像度の光学格子写真紙に適している。上記光学格子写真紙は、感光性材料を光学格子と組み合わせることにより、あるいは光学格子の背面に感光性材料を直接塗布することにより形成される。後者は薄く曲がりやすい。
【００２９】
上記方法は、ステップＳ４の後に、感光性写真紙と３Ｄ画像を形成するための光学格子とを組み合わせる工程を含んでいてもよい。この工程は、長視距離で３Ｄ強度の強い３Ｄ写真に特に適している。３Ｄ画像に用いられる光学格子写真紙は高い解像度と曲がりにくい厚い光学格子とを必要とするので、前記光学格子を前記感光紙に対して強固に押圧し、反射ミラー１０は感光性プラットフォームに押圧された前記光学格子感光紙に光を反射する。潜像が形成された後、前記光学格子は前記写真紙から自動的に分離される。その後、写真紙は洗浄および乾燥を行う領域に送られ、洗浄および乾燥された写真紙は前記光学格子と組み合わされる。
【００３０】
図面および上述した説明で示した本発明の実施形態は典型例であり、本発明の範囲を制限するものではないことは当業者であれば理解できるであろう。また、本発明の目的が完全かつ有効に達成されることは理解できるであろう。上述した実施形態は、本発明の機能的および構造的な概念を説明するためのものであり、上記概念を逸脱しない範囲で変更可能である。すなわち、本発明は、後述する特許請求の範囲の精神および概念に含まれる全ての変形例を含む。
【図面の簡単な説明】
【００３１】
【図１】本発明のマルチプリズム機構の斜視図である。
【図２】本発明のマルチプリズムユニットの斜視図である。
【図３】本発明のマルチプリズムユニットの分解図である。
【図１】
2015524941.tif 000003
【図２】
2015524941.tif 000004
【図３】
2015524941.tif 000005
【国際調査報告】
2015524941.tif 000006
2015524941.tif 000007
2015524941.tif 000008
2015524941.tif 000009
2015524941.tif 000010
2015524941.tif 000011